(57)【特許請求の範囲】
【請求項１】
前脚及び後脚からなる脚部の上端部に装着されたシート支持部材と、そのシート支持部材に載置支持された幼児用シートとを有する幼児用椅子において、
上記前脚及び後脚の下端部にはそれぞれキャスターが装着されるとともに、各キャスターには車輪の回転及びキャスターの旋回の両者をロックするロック機構が設けられており、
前脚及び後脚に装着されたキャスターホルダーに対してキャスター軸を中心として旋回可能に装着されたキャスターベースには、ペタル操作により水平軸を中心として回動され、車輪及びキャスターホルダーの両者にそれぞれ係合するロックピンを有するロックレバーが装着されており、
キャスターベースの進行方向前面側には、転倒防止用の突起が設けられており、
前記キャスターベースに設けられた前記ロックレバーおよび前記転倒防止用の突起のうちの、前記転倒防止用の突起は、キャスターベースから進行方向前方に延び出ており、前記ロックレバーは、キャスターベースから進行方向後方に延び出ているペタルを有することを特徴とする、幼児用椅子。
【請求項２】
キャスターホルダーの下端面にはキャスター軸を中心とする凹部が形成され、その凹部の内周面に放射方向内方に突出する複数の係止片が設けられるとともに、車輪には放射方向に突出する複数のロック片が設けられたロック部材が設けられており、上記ロックレバーの回動により上記ロックレバーに設けられた第１のロックピンが上記ロック部材のロック片に、また第２のロックピンが上記キャスターホルダーの係止片に同時に係脱するように構成されていることを特徴とする、請求項１記載の幼児用椅子。
【請求項３】
ロックレバーには、キャスターベースに形成された凸部の面上を摺動し、ロックレバーをロック状態或いはロック解除状態に維持する弾性を有するクリック片が一体的に設けられていることを特徴とする、請求項１または２記載の幼児用椅子。
【発明の詳細な説明】
【技術分野】
【０００１】
本発明は、新生児、乳児或いは児童等の幼児のために使用され、ベッドとしても使用可能な椅子に関する。
【背景技術】
【０００２】
従来、上記幼児用椅子としては、幼児用シートにリクライニング機構を設け、幼児を寝かせた状態にしたり、或いは腰掛けた状態にさせることができるようにするとともに、その幼児用シートを支持する脚部に車輪を設け室内を自由に移動可能とし、さらに食事をする際等に高さを調節できるようにしたものが提案され実用に供されている。すなわち、上記幼児用椅子としては、前脚と後脚の中間部を互いに枢着することによりＸ字状に構成された左右一対のＸ字脚によってシートを支持するようにし、車輪が設けられたＸ字状の前脚と後脚とを互いに接近する方向或いは離間する方向に回動させることにより、シートの高さの調節を行うことができるようにするとともに、室内での移動時に方向転換が容易に行われるようにするために、特に前脚の先端部にキャスターを設けることが行われている。
【特許文献１】特開２００３−２４１８９号公報
【発明の開示】
【発明が解決しようとする課題】
【０００３】
ところが、上記従来の幼児用椅子においては上述のように前脚のみにキャスターが設けられているので、移動時における旋回性が十分でなく小回りが利かず、狭い室内での移動が必ずしも容易でない等の問題がある。そこで、旋回性の向上を図り小回りができ、狭い室内での移動を容易にするために４輪キャスター化が提案されている。しかし、この４輪キャスター化を行うと、旋回時のガタや設置位置のズレ等の発生が懸念される。本発明は、このような点に鑑み、旋回時のガタや設置位置のズレ等の発生が低減されるようにした幼児用椅子を得ることを目的とする。
【課題を解決するための手段】
【０００４】
請求項１に係る発明は、前脚及び後脚からなる脚部の上端部に装着されたシート支持部材と、そのシート支持部材に載置支持された幼児用シートとを有する幼児用椅子において、上記前脚及び後脚の下端部にはそれぞれキャスターが装着されるとともに、各キャスターには車輪の回転及びキャスターの旋回の両者をロックするロック機構が設けられていることを特徴とする。
【０００５】
請求項２に係る発明は、請求項１に係る発明において、キャスターホルダーに対してキャスター軸を中心として旋回可能に装着されたキャスターベースには、ペタル操作により水平軸を中心として回動され、車輪及びキャスターホルダーの両者にそれぞれ係合するロックピンを有するロックレバーが装着されていることを特徴とする。
【０００６】
請求項３に係る発明は、請求項２に係る発明において、キャスターホルダーの下端面にはキャスター軸を中心とする凹部が形成され、その凹部の内周面に放射方向内方に突出する複数の係止片が設けられるとともに、車輪には放射方向に突出する複数のロック片が設けられた車輪ロック部材が設けられており、上記ロックレバーの回動により上記ロックレバーに設けられた第１のロックピンが上記車輪ロック部材のロック片に、また第２のロックピンが上記キャスターホルダーの係止片に同時に係脱するように構成されていることを特徴とする。
【０００７】
請求項４に係る発明は、請求項２または３に係る発明において、ロックレバーには、キャスターベースに形成された凸部の面上を摺動し、ロックレバーをロック状態或いはロック解除状態に維持する弾性を有するクリック片が一体的に設けられていることを特徴とする。
【０００８】
請求項５に係る発明は、請求項１乃至４のいずれかに係る発明において、キャスターベースの進行方向前面側には、転倒防止用の突起が設けられていることを特徴とする。
【発明の効果】
【０００９】
本発明は、上述のように上記前脚及び後脚の下端部にはそれぞれキャスターが装着されるとともに、各キャスターには車輪の回転及びキャスターの旋回の両者をロックするロック機構が設けられているので、移動時における旋回性を十分向上させることができ、小回りが利き、狭い室内でも自由に移動させることができるとともに、停止位置において旋回してガタが発生したり、設置位置のズレ等が発生することを低減させることができる。
【発明を実施するための最良の形態】
【００１０】
以下、添付図面を参照して本発明の実施の形態を説明する。
【００１１】
図１は幼児用椅子の概略構成を示す斜視図、図２はその側面図であって、幼児用シート１は左右一対のＸ字状に形成されたＸ字脚２によって支持されている。上記Ｘ字脚２は、前脚３及び後脚４の中間部をピン５によって互いに枢着することにより構成されており、左右の前脚３は前部連結杆６ａにより連結され、左右の後脚４は後部連結杆６ｂ（図２）により連結されている。上記後脚４の上端部はシート支持部材７の前部に設けられたボス８に枢着されており、前脚３の上端部はシート支持部材７の後部に上記シート支持部材７対して前後動可能に設けられたヒンジ結合部９に枢着されている。そして、上記シート支持部材７の外側面には、鎖線で示しように、シート支持部材、並びに上記ボス８及びヒンジ結合部９の上部を覆うカバーが設けられており、上記シート支持部材７上に前記幼児用シート１が載置装着されている。
【００１２】
上記幼児用シート１は図１及び図２に示すように、幼児が主に臀部を乗せる座部１０と、この座部１０の後方に配置された背部１１と、背部１１の上方に設けられたヘッドレスト１２と、座部１０の前方に設けられたステップ１３により構成されており、上記背部１１は、図１に示すように立ち上げられ椅子として使用可能な状態と、図３に示すように後方に倒されベッドとして使用可能な状態とすることが出来るように、リクライニング機構を有している。そしてベッドとして使用可能な状態に背部１１を倒したときには、上記背部１１の後方への揺動に対応してステップ１３も上方に揺動し、幼児の足が支持されるようにしてある。上記ステップ１３の両側部には側壁１３ａが設けられており、上述のようにベッドとしての使用中における乳幼児の転落が防止されるとともに、もしかしたら落ちるかもしれないという視覚的な不安感がなくなるようにしてある。
【００１３】
図４は前脚３及び後脚４とシート支持部材７との連結部の構成を示す図であり、後脚４の上端部がシート支持部材７のボス８にピン１４により枢着され、前脚３の上端部がヒンジ結合部９にピン１５により枢着されている。上記ヒンジ結合部９にはスライドバー１６が一体的に設けられており、そのスライドバー１６がシート支持部材７内に前後方向にスライド可能に収納されている。すなわち、スライドバー１６には前後方向すなわち長手方向にヒンジ結合部９まで延びる長孔１７が形成されている。この長孔１７に対し、シート支持部材７に所定の間隔をもって突設された２本のピン１８が嵌挿されており、上記長孔１７とピン１８との係合によりスライドバー１６が長手方向に摺動可能としてある。このスライドバー１６は図示しないバネにより図４中左方向、すなわちＸ字脚２が延びて高くなる方向に付勢されている。
【００１４】
スライドバー１６は断面四角形をしており、そのスライドバー１６の上面には長手方向に複数の調節孔１９が列状に配設されている。一方、シート支持部材７には上記調節孔１９のいずれかに選択的に差し込まれるピン２０が上下動可能に設けられている。ピン２０はバネ２１によって差込方向に付勢されており、また、ピン２０の拡径された部分に係止するするレバー２２が設けられている。このレバー２２はシート支持部材７の外側に突出されており、上記ピン２０に沿って上下動可能としてある。
【００１５】
しかして、シート支持部材７の外側からレバー２２を上方に引き上げると、バネ２１の付勢力に抗してピン２０が上方に移動し、調節孔１９から外れる。ピン２０が調節孔１９から外れることによりスライドバー１６は図示しないバネの作用により図中左方向に移動し、これによりＸ字状に交差してヒンジ結合されているＸ字脚２が延び、椅子の高さが高くなる。
【００１６】
一方、この状態でピン２０を調節孔１９から引き抜き、シート支持部材７を押し下げると、スライドバー１６がヒンジ結合部９とともに図２において右方向に移動して前脚３及び後脚４の傾斜角が小さくなり、上記ヒンジ結合部９が最も右に移動し、ピン２０が調節孔１９に係合すると高さが低い折り畳み状態となる。この折り畳み状態を図５に示す。
【００１７】
ところで、全ての前脚３及び後脚４の下端部にはそれぞれ双輪式のキャスター２４が装着されている。しかして、上記キャスター２４により幼児用椅子は前後左右に容易に移動することが出来、旋回性を十分向上させることができ、小回りが利き、狭い室内でも自由に移動させることができる。
【００１８】
ところが、従来のキャスターは車輪の回転のみをロックする機構であるため、上述のように前脚３及び後脚４の全てにキャスター２４を設けたものにおいては、車輪がロックされた状態で旋回されることがあり、その際ガタが生じることがあり、また、上記ロックされた車輪が旋回して設置位置がずれることがある等の問題がある。
【００１９】
そこで、本発明の幼児用椅子においては、車輪のロックと同時に旋回のロックも行われるようにしてある。
【００２０】
図６は、上記双輪式のキャスターの一方の車輪を取り外した一部断面側面図であり、前脚等が装着されたキャスターホルダー２５の下方には、両側部に車輪２６が取り付けられたキャスターベース２７がキャスター軸２８を介して装着されている。上記キャスター軸２８は床面に対して垂直になるように上記キャスターホルダー２５に設けられており、そのキャスター軸２８に上記キャスターベース２７が上記キャスター軸２８を中心として回動可能に装着されている。
【００２１】
上記車輪２６の内面側には、外周部に放射方向に延びる複数のロック片２９が等間隔に設けられた車輪ロック部材３０が設けられており、車輪２６と一体的に車軸３１に回動可能に装着されている。一方、キャスターホルダー２５の下面には、上記キャスター軸２８を中心とする円形状の凹部３２が形成されており、その凹部の内周面には放射方向内方側に突出する複数の係止片３３が等間隔に設けられている。
【００２２】
ところで、上記キャスターベース２７には、そのキャスターベース２７の後方に突出するペタル３４を有するロックレバー３５が軸３６により回動可能に枢着されている。上記ロックレバー３５には、上記ロックレバー３５がペタル３４により図６において時計方向に回動されたとき、前記車輪ロック部材３０の互いに隣接するロック片２９間に係合する第１のロックピン３７と、同時に前記キャスターホルダー２５の互いに隣接する係止片３３間に係合する第２のロックピン３８が設けられている。また、上記ロックレバー３５には上記ペタル３４と反対側に弾性を有するクリック片３９が突設されている。上記クリック片３９はロックレバー３５と一体的に設けられ、そのプラスチックの弾性を利用するように形成されており、その先端部が、キャスターベース２７の隔壁部に形成された凸部４０に弾接係合するようにしてあり、従来のキャスターのように金属のバネを使用する必要がないようにしてある。
【００２３】
また、キャスターベース２７の前面側には、固定された車輪２６に対して相対的にキャスターベース２７が軸３１を中心として回動したときに床面に当接し、それ以上の回動を阻止するＵ字状の転倒防止部４１が突設されている。
【００２４】
しかして、幼児用椅子を移動させる場合には、図６に示すように、ペタル３４を上方位置に移動させることにより、第１のロックピン３７及び第２のロックピン３８が車輪ロック部材３０のロック片２９及びキャスターホルダー２５の下面に形成されている係止片３３から離脱され、車輪２６の回転及び車輪２６の旋回が自由に行われるようにすることができ、室内を自由に移動させることができる。このときロックレバー３５に設けられているクリック片３９が凸部４０の下部に摺接係合しており、ロックレバー３５が上記ロック解除位置に保持されている。
【００２５】
そこで、幼児用椅子を所定位置に固定する場合には、その所定位置においてペタル３４を下方に踏み下げると、ロックレバー３５が軸３６を中心として図６において時計方向に回動される。したがって、この回動により、図７に示すように、第１のロックピン３７が車輪ロック部材３０のロック片２９間に挿入係合されて車輪２６のロックが行われるとともに、同時に第２のロックピン３８がキャスターホルダー２５の下面に形成されている係止片３３間に挿入係合され、キャスターベース２７すなわち車輪の旋回が防止される。この場合には前記クリック片３９の先端部が前記凸部４０の上部に係合し、ロックレバー３５が上記ロック位置に保持され、幼児用椅子が所定位置に固定される。このように、ペタル３４の操作により、車輪のロック及び旋回のロックを同時に行うことができる。
【００２６】
一方、車輪の回転及び旋回がロックされている場合、特に車輪２６が幼児用椅子の横方向に向いた状態で固定された場合には、キャスター軸２８が車輪の接地点に対して偏心しているため、椅子の一側部に重力が作用したときに椅子が横方向に転倒しようとする力が働くことがある。しかしながら、椅子本体が横方向に傾動すると、キャスターベース２７の前面側に設けられているＵ字状の転倒防止部４１が床面に当接し、それ以上の傾動が阻止され、上記転倒防止部４１により椅子本体の転倒が防止される。
【図面の簡単な説明】
【００２７】
【図１】本発明の幼児用椅子の斜視図。
【図２】本発明の幼児用椅子の側面図。
【図３】幼児用シートを寝台として使用可能とした状態を示す斜視図。
【図４】前脚及び後脚とシート支持部材との連結部の構成を示す図。
【図５】幼児用椅子をローポジションとした状態を示す側面図。
【図６】本発明における双輪式のキャスターの一方の車輪を取り外した一部断面側面図。
【図７】図６におけるキャスターのロック状態を示す図。
【符号の説明】
【００２８】
１  幼児用シート
２  Ｘ字脚
３  前脚
４  後脚
７  シート支持部材
８  ボス
９  ヒンジ結合部
１０  座部
１１  背部
１３  ステップ
１６  スライドバー
１７  長孔
１９  調節孔
２０  ピン
２２  レバー
２４  キャスター
２５  キャスターホルダー
２７  キャスターベース
２８  キャスター軸
２９  ロック片
３３  係止片
３５  ロックレバー
３６  軸
３７  第１のロックピン
３８  第２のロックピン
３９  クリック片
【図１】
0004651964.tif 000002
【図２】
0004651964.tif 000003
【図３】
0004651964.tif 000004
【図４】
0004651964.tif 000005
【図５】
0004651964.tif 000006
【図６】
0004651964.tif 000007
【図７】
0004651964.tif 000008